(57)【要約】【課題】現用増幅器と予備増幅器の切替制御の異常の有無の診断に要する労力を軽減でき、且つ増幅器の切替制御の異常による無線基地局の障害を防止できる無線基地局増幅装置を提供する。【解決手段】上位監視装置２から通信回線を介して遠隔操作命令が送信されると、監視制御装置１１によって、複数の現用増幅器１３と予備増幅器１４の切替制御及び切替制御異常の診断と、切替戻し制御及び切替戻し制御異常の診断を現用増幅器１３毎に行って、診断結果を上位監視装置２に送信し、また上記診断は、現用増幅器１３の動作停止時には、擬似の入力信号を切り替え対象の現用増幅器１３に入力し、当該信号の切り替え先の診断結果及び増幅前及び増幅後のレベルの参照結果に基づいて行われる無線基地局増幅装置である。【選択図】　　　　図１
2004129109.tif 000002
【特許請求の範囲】
【請求項１】
無線通信対象の信号を増幅する現用及び予備の増幅器を備え、前記現用の増幅器を前記予備の増幅器に切り替える無線基地局増幅装置であって、
前記現用及び予備の増幅器への入力を切り替える入力側切替部と、
前記現用及び予備の増幅器からの出力を切り替える出力側切替部を備え、
前記現用の増幅器と前記予備の増幅器の切替制御及び切替戻し制御に対して、前記入力側切替部及び前記出力側切替部に対する信号の入出力状態を監視することで切替制御及び切替戻し制御の異常の有無を診断し、診断結果を報知する自己診断処理を行うことを特徴とする無線基地局増幅装置。
【請求項２】
入力側切替部及び出力側切替部に対する信号の入出力状態の監視において、無線通信対象の信号が一定時間前記入力側切替部に入力されない場合、増幅器が増幅停止状態であると判断し、擬似の信号を生成して前記入力側切替部を介して前記増幅器に入力し、前記入力側切替部における前記擬似の信号の入力状態及び前記出力側切替部における増幅後の出力状態を監視することを特徴とする請求項１記載の無線基地局増幅装置。
【請求項３】
現用及び予備の増幅器の切替制御を監視する監視装置との双方向通信が可能であり、前記監視装置からの命令にしたがって自己診断処理を行い、前記切替制御及び前記切替戻し制御の異常の有無の診断結果を前記監視装置へ送信することを特徴とする請求項１又は請求項２記載の無線基地局増幅装置。
【発明の詳細な説明】
【０００１】
【発明の属する技術分野】
本発明は、無線基地局において、無線通信対象の信号を増幅する現用及び予備の増幅器を備えた無線基地局増幅装置に係り、特に増幅器が増幅動作停止中に現用の増幅器と予備の増幅器の切替制御が正常に実行されたか否かの診断を行う無線基地局増幅装置に関する。
【０００２】
【従来の技術】
携帯電話等の無線基地局は、そのカバーエリア（セル）を複数のセクタに分割し、セクタ毎にアンテナを設け、移動機との間で通信を行う。無線基地局において無線通信対象の信号を増幅する無線基地局増幅装置は、各セクタ対応の増幅器を有しており、これらの増幅器は対応するアンテナに接続されている。無線基地局の通信の信頼度を向上させるため、無線基地局増幅装置は増幅器の故障に対する何らかの施策が必要となる。
【０００３】
上記施策の一つとして、無線基地局増幅装置に予備の増幅器を設けることが従来から行われている。例えば、各セクタに収容される無線信号の数等により、装置においてｎ個の増幅器（現用増幅器）が必要となる場合に、各セクタ共用の予備の増幅器（予備増幅器）を設けて、ｎ＋１個の増幅器を備えた構成とすることで、いずれかのセクタの現用増幅器が故障した時には、予備増幅器に切り替えて対応できる（特開平１１−２９８３８１号「共通増幅装置」から引用）。
【０００４】
また、予備増幅器を備えた増幅装置として、平成１１年１０月２９日公開の特開平１１−２９８３８１号「共通増幅装置」（出願人：富士通株式会社、発明者：小林文彦）が提案されている。
当該発明は、複数の現用増幅器と、予め設定された個数の予備増幅器とで構成され、複数系列の入力信号を対応する現用増幅器で増幅して出力する共通増幅器と、共通増幅器の入出力側にそれぞれ設けられた入出力切り替え器と、現用及び予備増幅器の動作状態を監視して現用増幅器に障害が発生したことを検出した時、入出力切り替え器に対し障害の発生した現用増幅装置を予備増幅器に切り替えさせる制御回路を備えた共通増幅装置において、予備増幅器の動作状態監視を、複数系列の入力信号を分岐して合成した合成入力信号を用いることによって、高アイソレーションの入出力切り替え器を用いることなく、装置の小型化及び低価格化を実現できるものである。
【０００５】
また、現用系と予備系の切替制御に関連する技術として、平成１４年８月２日公開の特開２００２−２１７７９１号「無線通信装置」（出願人：株式会社日立国際電気、発明者：村本充他）では、無線通信を司る屋外装置とネットワーク通信を司る屋内装置とを同軸ケーブルで接続した無線通信装置において、屋内装置が現用系又は予備系として複数設置され、予備系の屋内装置は現用系の屋内装置と制御ケーブルによる通信を行い、現用系の屋内装置で異常が検出されたか、現用系の屋内装置から応答がない場合には、予備系の屋内装置は、自己制御によって当該現用系の屋内装置との切り替えを行って運用を開始する無線通信装置と、屋外装置が現用系又は予備系として複数設置され、屋内装置は現用系の屋外装置と同軸ケーブルによる通信を行い、屋内装置が現用系の屋外装置で異常を検出するか、現用系の屋外装置から応答がない場合には、屋内装置が当該現用系の屋外装置を停止させ、予備系の屋外装置の運用を開始させることで、現用系と予備系の屋外装置の切り替えを行う無線通信装置が提案されている。
【０００６】
【特許文献１】
特開平１１−２９８３８１号公報（第３頁、第１，４図）
【特許文献２】
特開２００２−２１７７９１号公報（第６−９頁、第１，３図）
【０００７】
【発明が解決しようとする課題】
上記従来の切り替え制御を行う無線基地局増幅装置は、当該装置に設けられた監視制御手段によって、現用増幅器が増幅動作状態から増幅停止状態になったことを検知すると故障と診断し、予備増幅器への切替制御を行うことが考えられる。
しかしながら、上記の無線基地局増幅装置では、現用増幅器と予備増幅器の切替制御の異常の有無の診断に労力を要し、且つ増幅器の切替制御の異常による無線基地局の障害を未然に防ぐことができないという問題点があった。
【０００８】
現用増幅器と予備増幅器とを備えた無線基地局増幅装置において切替制御を行おうとしても、予備増幅器や、切り替えに用いられるスイッチが故障している場合には、切替制御は正常に実行されない。このため無線基地局増幅装置は、装置の信頼性を向上させるため、現用増幅器と予備増幅器の切替制御が正常に実行されたか否かの診断を行う必要がある。
【０００９】
無線基地局増幅装置における現用増幅器と予備増幅器の切替制御が正常に行われたか否かの診断は従来、保守員が定期的に装置に出向いて行う保守作業において、切替制御後の増幅装置の動作診断によって行われていた。しかしながら保守作業における診断は、保守員が装置まで出向かなければならないため労力が多大となり、また上記診断は実際に切り替えが行われたか否かに関わらず全ての装置に対して行わなければならないため、効率的でないという問題点がある。
【００１０】
また、従来の技術で述べたように、無線基地局増幅装置は、現用増幅器が増幅動作状態から増幅停止状態に変化したと検知した場合に故障と診断し、予備増幅器への切替制御を行うため、切替制御を実行するには現用増幅器及び予備増幅器が増幅動作状態である必要がある。よって増幅装置の起動時など、現用増幅器及び予備増幅器が増幅停止状態である場合には、切替制御は行われない。
【００１１】
ところが、無線基地局の運用中に上記切替制御が正常に行われなかった場合には、無線通信対象の信号の増幅が適正に行われず、信号の品質が劣化する障害が発生する。このため保守員は、障害の発生した無線基地局に対し、当該無線基地局の全ての増幅器の増幅動作を停止させ、切替制御の故障部分の特定及び修理を行う必要があるが、通信の復旧までに多大な時間を要し、通信会社及び利用者に多大な損失を及ぼすという問題点がある。
このため無線基地局の起動時といった、運用前の早い段階で、切替制御の異常の有無の診断を行うことのできる無線基地局増幅装置が切望されていたが、従来はこのような無線基地局増幅装置はなかった。
【００１２】
本発明は上記実情に鑑みて為されたもので、現用増幅器と予備増幅器の切替制御の異常の有無の診断に要する労力を軽減でき、且つ増幅器の切替制御の異常による無線基地局の障害を防止できる無線基地局増幅装置を提供することを目的とする。
【００１３】
【課題を解決するための手段】
上記従来例の問題点を解決するための本発明は、無線通信対象の信号を増幅する現用及び予備の増幅器を備え、現用の増幅器を予備の増幅器に切り替える無線基地局増幅装置であって、現用及び予備の増幅器への入力を切り替える入力側切替部と、現用及び予備の増幅器からの出力を切り替える出力側切替部を備え、現用の増幅器と予備の増幅器の切替制御及び切替戻し制御に対して、入力側切替部及び出力側切替部に対する信号の入出力状態を監視することで切替制御及び切替戻し制御の異常の有無を診断し、診断結果を報知する自己診断処理を行うものであり、増幅器の切替制御の異常による無線基地局の障害を防止することができる。
【００１４】
また、上記無線基地局増幅装置において、入力側切替部及び出力側切替部に対する信号の入出力状態の監視において、無線通信対象の信号が一定時間前記入力側切替部に入力されない場合、増幅器が増幅停止状態であると判断し、擬似の信号を生成して入力側切替部を介して増幅器に入力し、入力側切替部における擬似の信号の入力状態及び出力側切替部における増幅後の出力状態を監視するものであり、増幅器の切替制御の異常による無線基地局の障害を防止することができる。
【００１５】
また、上記無線基地局増幅装置において、現用及び予備の増幅器の切替制御を監視する監視装置との双方向通信が可能であり、監視装置からの命令にしたがって自己診断処理を行い、切替制御及び切替戻し制御の異常の有無の診断結果を監視装置へ送信するものであり、現用増幅器と予備増幅器の切替制御の異常の有無の診断に要する労力を軽減することができる。
【００１６】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１７】
本発明の実施の形態に係る無線基地局増幅装置は、無線通信対象の信号を増幅する現用及び予備の増幅器を備えた無線基地局増幅装置であって、現用増幅器と予備増幅器の切替制御異常及び切替戻し制御異常の自己診断を行って切替制御異常及び切替戻し制御異常の有無を診断し、診断結果を報知するものであり、これにより現用増幅器と予備増幅器の切替制御の異常による無線基地局の障害を防止することができる。
【００１８】
また、本発明の無線基地局増幅装置において、無線基地局増幅装置における現用及び予備の増幅器の切替制御を監視する上位監視装置との通信を行い、監視装置からの命令にしたがって現用増幅器と予備増幅器の切替制御異常及び切替戻し異常制御の自己診断を行い、切替制御異常及び切替戻し制御異常の診断結果を上位監視装置に送信するものであり、これにより切替制御の異常の有無の診断の労力を軽減することができる。
【００１９】
尚、請求項における入力側切替部は図１の現用予備切替部１２に相当し、出力側切替部は現用予備切替部１５に、表示部はＬＥＤに、監視装置は上位監視装置２にそれぞれ相当する。
【００２０】
本発明の実施の形態の無線基地局増幅装置（以下、本増幅装置）の構成について、図１を用いて説明する。図１は、本増幅装置の構成ブロック図である。本増幅装置は、無線基地局に入力された複数の無線通信対象の信号を、各信号に対応して設けられた現用増幅器１３−１〜１３−ｎによって増幅し、出力するものである。
本増幅装置１は、監視制御装置１１と、現用予備切替装置（図では「現用予備切替装置（入力側）」）１２と、現用増幅器１３−１〜１３−ｎと、予備増幅器１４と、現用予備切替装置（図では「現用予備切替装置（出力側）」）１５と、ファンユニット１６とから構成される。また、監視制御装置１１にはＬＥＤ（Ｌｉｇｈｔ　Ｅｍｉｔｔｉｎｇ　Ｄｉｏｄｅ）１１１が、現用予備切替装置１２にはＬＥＤ１２１が、現用予備切替装置１５にはＬＥＤ１５１がそれぞれ実装されている。
【００２１】
次に、本増幅装置の各部の構成について説明する。
監視制御装置１１は、現用増幅器１３−１〜１３−ｎと予備増幅器１４の切替制御及び切替制御の異常の有無の診断と、切替制御の行われた現用増幅器と予備増幅器１４の切替戻し制御及び切替戻し制御の異常の診断を現用増幅器毎に行う自己診断モードによって、切替制御及び切替戻し制御の異常の有無の診断結果を報知する。
また、監視制御装置１１は、現用増幅器１３が増幅動作中には、無線通信対象の入力信号及び当該信号の増幅結果が切り替え先に出力されているか否かを診断し、更に入力信号のレベル及び増幅後の信号のレベルを参照することで増幅器への信号の入出力状態の監視を行い、また現用増幅器１３が増幅停止中には、擬似の入力信号を生成して切り替え対象の現用増幅器に入力し、当該信号に対して増幅動作中の場合と同様の操作によって増幅器の動作監視を行い、それぞれの監視結果に基づいて切替制御及び切替戻し制御の異常の有無の診断を行う。
【００２２】
以下、具体的に説明すると、監視制御装置１１は、上位監視装置２からの遠隔操作によって増幅器の切替制御の異常の有無の判断を行うための自己診断モードが起動されると、現用増幅器１３−１〜１３−ｎと予備増幅器１４との切替制御及び当該切替制御の異常の有無の診断（以下、切替制御異常の診断）を行い、診断結果を自己に実装されたＬＥＤ１１１と、現用予備切替装置１２及び１５に実装されたＬＥＤ１２１及び１５１に表示する。
【００２３】
また監視制御装置１１は、切替制御の行われた現用増幅器１３と予備増幅器１４の切替戻し制御及び当該切替戻し制御の異常の有無の診断（以下、切替戻し制御異常の診断）を行い、診断結果をＬＥＤ１１１、１２１及び１５１に表示する。監視制御装置１１は、自己診断モードにおいて、上記切替制御及び切替制御異常の診断と、上記切替戻し制御及び切替戻し制御異常の診断を、現用増幅器１３−１〜１３−ｎ毎に行い、診断結果をＬＥＤ１１１、１２１及び１５１に表示する。監視制御装置１１は、自己診断モードによる切替制御異常及び切替戻し制御異常の診断を、現用増幅器１３−１〜１３−ｎ及び予備増幅器１４が増幅動作中又は増幅停止中のいずれにおいても実行することができる。
【００２４】
監視制御装置１１は、切替制御を行うにあたり、現用予備切替装置１２及び１５に対し切替制御命令を出力し、現用増幅器１３−１〜１３−ｎのいずれかと、予備増幅器１４の切替制御を行わせる。具体的には、現用予備切替装置１２に対し、現用増幅器１３−１〜１３−ｎのうちいずれか一つの増幅器への入力信号を予備増幅器１４に切り替えさせる切替制御命令を出力し、現用予備切替装置１５に対し、予備増幅器１４で増幅された信号を現用増幅器１３−１〜１３−ｎのうちいずれか一つの増幅器からの出力信号として切り替えさせる切替制御命令を出力することで、切替制御を実行させる。
【００２５】
また、監視制御装置１１は、切替制御異常の診断では、現用増幅器１３−１〜１３−ｎと予備増幅器１４が増幅動作中の場合、切替制御後に現用予備切替装置１２及び１５を介して、入力信号及び出力信号が切り替え先に出力されているか否かを確認し、更に入力信号のレベル及び予備増幅器１４での増幅後のレベルを参照することで各増幅器への信号の入出力状態を監視し、切替制御異常の診断を行う。
【００２６】
また、監視制御装置１１は、現用予備切替装置１２に一定時間入力信号が入力されない場合、現用増幅器１３−１〜１３−ｎと予備増幅器１４が増幅停止中として、現用予備切替装置１２及び１５を介して、切替制御後に切り替えの行われた現用増幅器への擬似の入力信号を入力し、当該信号及び当該信号の増幅結果が切り替え先に出力されているか否かを診断し、更に当該信号の入力レベル及び予備増幅器１４における増幅後のレベルを参照することで各増幅器への信号の入出力状態を監視し、切替制御異常の診断を行う。
【００２７】
また、監視制御装置１１は、切替制御異常の診断結果を、自己に実装されたＬＥＤ１１１と、現用予備切替装置１２及び１５に実装されたＬＥＤ１２１及び１５１に表示する。
監視制御装置１１のＬＥＤ１１１は、監視制御装置１１の動作状況を表すランプ（図ではＡＣＴ）、切替制御の異常を表すランプ（図ではＡＬＭ）及び自己診断モードであることを表すランプ（図ではＴＥＳＴ）を備えており、各ランプの表示状態の組み合わせによって切替制御異常の診断結果を表すことができる。
【００２８】
また、現用予備切替装置１２及び１５におけるＬＥＤ１２１及び１５１は、各増幅器に対応してランプが設けられており、ランプの表示状態の組み合わせによって、異常の発生した増幅器の情報と共に診断結果を表すことができる。各ランプの表示状態の組み合わせと、診断結果の関係は、図２の表に示す通りである。図２は、本増幅装置におけるＬＥＤランプの表示状態と、診断結果の関係を示した表である。
【００２９】
監視制御装置１１は、切替戻し制御及び切替戻し制御異常の診断を行う場合も、切替制御と同様の操作を行う。つまり、監視制御装置１１は、切り替えの行われた現用増幅器１３と予備増幅器１４の切替戻し制御命令を現用予備切替装置１２及び１５に出力して切替戻し制御を行い、切替戻し制御後の各増幅器への信号の入出力状態を監視して、切替戻し制御異常の診断を行い、診断結果をＬＥＤ１１１、１２１及び１５１に表示させる。
【００３０】
また、監視制御装置１１は、本増幅装置１の切替制御の異常の有無を監視する上位監視装置２と通信回線で結ばれており、上位監視装置２から送信される遠隔操作命令にしたがって、上記自己診断モードによる現用増幅器１３−１〜１３−ｎと予備増幅器１４との切替制御及び切替制御異常の診断を行い、診断結果を上位監視装置２に送信する。
さらに監視制御装置１１は、本増幅装置の各部に電源を供給する電源部（図示せず）の動作制御と、増幅器の冷却を行うファンユニット１６の動作確認を行う。
監視制御装置１１の詳細な構成については、後述する。
【００３１】
現用予備切替装置１２は、監視制御装置１１から出力される切替制御命令に基づいて、現用増幅器１３−１〜１３−ｎのいずれか一つの増幅器への入力信号を予備増幅器１４に切り替え、監視制御装置１１から出力される切替戻し制御命令に基づいて、予備増幅器１４へ入力される入力信号を、切替制御の行われた現用増幅器１３に切り替える。また、現用予備切替装置１２は、ＬＥＤ１２１を実装しており、ＬＥＤ１２１を用いて各増幅器の切替制御異常の診断結果を表示することができる。
【００３２】
現用増幅器１３−１〜１３−ｎは、無線通信対象の信号毎に設けられており、対応する信号を増幅して出力する。本増幅装置１は、ｎ系列（ｎ＞２）の信号を増幅するため、ｎ個の現用増幅器を設けている。
予備増幅器１４は、現用増幅器１３−１〜１３−ｎの予備として設けられた増幅器であり、現用増幅器１３−１〜１３−ｎのうちいずれか一つの増幅器との間の切替制御により、切り替えの対象となった現用増幅器の代わりとして用いられる。
【００３３】
現用予備切替装置１５は、監視制御装置１１から出力される切替制御命令に基づいて、予備増幅器１４で増幅された出力信号を現用増幅器１３−１〜１３−ｎのうちいずれか一つの増幅器からの出力信号に切り替え、監視制御装置１１から出力される切替戻し制御命令に基づいて、切替制御の行われた現用増幅器１３で増幅された信号を当該現用増幅器１３で増幅された出力信号として切り替える。また、現用予備切替装置１５は、ＬＥＤ１５１を実装しており、ＬＥＤ１５１を用いて各増幅器の切替制御異常の診断結果を表示することができる。
【００３４】
ファンユニット１６は、現用増幅器１３−１〜１３−ｎ及び予備増幅器１４における温度の上昇を防ぐために設けられ、現用増幅器１３−１〜１３−ｎ及び予備増幅器１４を冷却する。
【００３５】
また、上位監視装置２は、本増幅装置１の監視制御装置１１と通信回線で接続されており、通信回線を介した遠隔操作によって本増幅装置１における現用増幅器１３−１〜１３−ｎと予備増幅器１４との切替制御の異常の有無を監視する。
上位監視装置２は、具体的には、通信回線を介して監視制御装置１１に切替制御の異常の有無を診断する旨の遠隔操作命令を監視制御装置１１に送信し、さらに監視制御装置１１から送信される切替制御異常の診断結果を受信する。これにより、保守員は、遠隔操作による切替制御異常の診断及び診断結果の監視を行うことが可能となる。
ここで、上位監視装置２と本増幅装置１との通信は、無線通信としてもよい。
【００３６】
次に、監視制御装置１１の詳細な構成について図３を用いて説明する。図３は、本増幅装置１における監視制御装置１１の構成ブロック図である。
監視制御装置１１は、ＬＥＤ１１１と、上位監視装置通信制御部１１２と、ＬＥＤ制御部１１３と、増幅器監視制御部１１４と、電源監視部１１５と、現用予備切替制御部１１６と、ファンユニット監視部１１７と、記憶部１１８と、制御部１１９とから構成されている。
【００３７】
次に、監視制御装置１１の各部について説明する。
ＬＥＤ１１１は、既述したように、現用増幅器１３−１〜１３−ｎと予備増幅器１４との切替制御及び切替戻し制御の異常の有無の診断結果を表示する。ＬＥＤ１１１は、ＬＥＤ制御部１１３からの制御命令によって、診断結果の表示を行う。上位監視装置通信制御部１１２は、上位監視装置２との通信インタフェースを有しており、上位監視装置２への通信制御を行う。上位監視装置通信制御部１１２は、上位監視装置２から送信された情報を制御部１１９に出力し、また制御部１１９から出力された情報を上位監視装置２へ送信する。
【００３８】
ＬＥＤ制御部１１３は、制御部１１９から出力された表示命令又は切替制御異常及び切替戻し制御異常の診断結果に基づいてＬＥＤ１１１、現用予備切替装置１２のＬＥＤ１２１及び現用予備切替装置１５のＬＥＤ１５１に対し、ランプの表示状態を特定して特定結果にしたがってランプを表示させる表示制御を行う。
【００３９】
増幅器監視制御部１１４は、現用予備切替装置１２及び１５を介して切替制御の行われた現用増幅器１３−１〜１３−ｎ及び予備増幅器１４への信号の入出力状態を監視し、監視結果を制御部１１９に出力する。
増幅器監視制御部１１４は、具体的には、制御部１１９から切替制御の行われた現用増幅器１３−１〜１３−ｎの情報が入力されると、現用予備切替装置１２及び１５を介して、入力信号が切り替え先に入力されているか否かの診断と、予備増幅器１４で増幅された信号が切り替え先の出力信号として出力されているか否かの診断を行い、更に入力信号のレベル及び予備増幅器１４での増幅後のレベルを参照することで、各増幅器への信号の入出力状態を監視し、監視結果を制御部１１９に出力する。
【００４０】
また、入力信号が現用予備切替装置１２に一定時間入力されない場合、つまり現用増幅器１３−１〜１３−ｎと予備増幅器１４が増幅停止中の場合、増幅器監視制御部１１４は、擬似の入力信号を生成し、現用予備切替装置１２を介して切り替え元の現用増幅器１３に入力し、擬似の入力信号に基づいて各増幅器への信号の入出力状態を監視し、監視結果を制御部１１９に出力する。制御部１１９は、監視結果に基づいて、切替制御異常の診断を行う。
【００４１】
また、増幅器監視制御部１１４は、上記切替制御の場合と同様の操作によって、現用予備切替装置１２及び１５を介して切替戻し制御の行われた現用増幅器１３−１〜１３−ｎ及び予備増幅器１４への信号の入出力状態を監視し、監視結果を制御部１１９に出力する。
【００４２】
電源監視部１１５は、本増幅装置の電源状態を電源部（図示せず）を監視し、監視結果を制御部１１９に出力する。
現用予備切替制御部１１６は、制御部１１９から切替制御を行う現用増幅器の情報が入力されると、現用予備切替装置１２及び１５に対し、指定された現用増幅器１３と予備増幅器１４の切り替えを行う旨の切替制御命令を出力する。
ファンユニット監視部１１７は、ファンユニット１６の動作状態を監視する。
【００４３】
記憶部１１８は、制御部１１９で実行する切替制御及び切替制御の異常の有無の診断を行うためのプログラムを記憶するＲＯＭ（Ｒｅａｄ　Ｏｎｌｙ　Ｍｅｍｏｒｙ）と、切替制御及び切替制御の異常の有無の診断で用いられるパラメータ（現用増幅器の動作監視結果、異常と診断されるレベルの基準値など）を格納するＲＡＭ（Ｒｅａｄ　Ａｃｃｅｓｓ　Ｍｅｍｏｒｙ）とで構成されている。
【００４４】
制御部１１９は、監視制御装置１１の制御を司るものであり、記憶部１１８に記憶されているプログラムにしたがって動作する。
制御部１１９は、電源監視部１１５から電源部が電源ＯＮの状態である情報が入力され、且つ上位監視装置通信制御部１１２から上位監視装置２の遠隔操作命令が入力されると、自己診断モードを開始し、現用増幅器毎に上記切替制御及び切替制御異常の診断を行う。
【００４５】
自己診断モードにおいて、制御部１１９は、現用予備切替制御部１１６に対して、切り替えを行わせる現用増幅器の情報を現用予備切替制御部１１６に出力し、切替制御を行わせる。そして増幅器監視制御部１１４に切替制御の行われた現用増幅器１３−１〜１３−ｎの情報を出力し、増幅器監視制御部１１４から出力される監視結果に基づいて、切替制御異常の診断を行い、異常がある場合に診断結果をＬＥＤ制御部１１３に出力する。
【００４６】
また、制御部１１９は、現用予備切替制御部１１６に対して、切り替え戻しを行わせる現用増幅器の情報を現用予備切替制御部１１６に出力し、切替戻し制御を行わせる。そして増幅器監視制御部１１４に切替戻し制御の行われた現用増幅器１３−１〜１３−ｎの情報を出力し、増幅器監視制御部１１４から出力される監視結果に基づいて、切替戻し制御異常の診断を行い、異常がある場合に診断結果をＬＥＤ制御部１１３に出力する。
また、制御部１１９は、ファンユニット監視部１１７の動作監視を行う。
【００４７】
次に、本増幅装置における自己診断モードの動作について、図４を用いて説明する。図４は、本増幅装置の自己診断モード時における切替制御及び切替制御異常の診断のフローチャートである。
図４において、電源部の電源がＯＮ状態となって本増幅装置が起動されると（Ｓ１０１）、監視制御装置１１の制御部１１９は、記憶部１１８に記憶されているプログラムを読み込み、当該プログラムを実行する。プログラム実行開始時、制御部１１９は、制御実行のためのコマンドを受け付ける状態となっている。
【００４８】
プログラム実行開始後、上位監視装置２から通信回線を介して自己診断モードを選択する旨を含んだ遠隔操作命令が送信されると、監視制御装置１１の上位監視装置通信制御部１１２は、当該遠隔操作命令を受信して制御部１１９に出力する。制御部１１９は、遠隔操作命令が自己診断モードを選択する命令であることを認識すると、自己診断モードが選択されたと認識し、自己診断モードによる切替制御及び切替制御異常の診断を開始する（Ｓ１０１のＹｅｓ）。自己診断モードが選択されなければ、自己診断モードは開始されず（Ｓ１０１のＮｏ）、制御部１１９は引き続きコマンドを受け付ける状態を維持する。
【００４９】
図４において、自己診断モードが開始されると、制御部１１９はまず、本増幅装置における初期化処理を行う（Ｓ１０２）。初期化処理として、制御部１１９は具体的に、監視制御装置１１における各種データの入出力ポートと、切替制御及び切替制御異常の診断で用いる各種変数の設定を行う他、現用予備切替装置１２及び１５に対して、現用増幅器１３−１〜１３−ｎへの入力信号の入力先及び出力信号の出力先の接続設定を解除する接続切替処理を行う。
【００５０】
更に制御部１１９は、ＬＥＤ制御部１１３に対し、ＬＥＤ１１１と、現用予備切替装置１２及び１５に実装されたＬＥＤ１２１及び１５１を、診断開始状態であることを示すよう表示させる表示命令を出力する。ＬＥＤ制御部１１３は、ＬＥＤ１１１、１２１及び１５１の診断開始状態を表すランプの表示状態を特定し、特定結果にしたがって各ＬＥＤのランプを表示させる表示制御を行う。
診断開始状態を表すランプの表示状態は、図２の表の最上段に示す通りであり、ＬＥＤ１１１ではＡＣＴ、ＴＥＳＴが点灯、ＡＬＭが消灯し、またＬＥＤ１２１、１５１では、各現用増幅器１３に対応するランプが点灯し、予備増幅器１４に対応するランプが消灯する。
【００５１】
処理Ｓ１０２の初期化処理が終了すると、制御部１１９は、現用増幅器１３−１（図では現用増幅器＃１）と予備増幅器１４の切替制御を行う。
上記切替制御にあたり、制御部１１９はまず、記憶部１１８に記憶されている切替対象の現用増幅器の番号を表す変数Ｘに１を代入する（Ｓ１０３）。そして制御部１１９が変数Ｘを現用予備切替制御部１１６に出力すると、現用予備切替制御部１１６は、現用予備切替装置１２及び１５に対して、現用増幅器１３−１と予備増幅器１４の切り替えを行う旨の切替制御命令を出力して、切替制御を実行する（Ｓ１０４）。
切替制御命令として、現用予備切替制御部１１６は、現用予備切替装置１２に対しては、現用増幅器１３−１への入力信号を予備増幅器１４に切り替えさせる切替制御命令を出力し、現用予備切替装置１５に対しては、予備増幅器１４で増幅された信号を現用増幅器１３−１からの出力信号として切り替えさせる切替制御命令を出力する。切替制御命令が入力された現用予備切替装置１２及び１５は、切替制御命令にしたがって入力信号又は出力信号の切り替えを行う。
【００５２】
監視制御装置１１において、制御部１１９は、変数Ｘを増幅器監視制御部１１４にも出力する。増幅器監視制御部１１４は、変数Ｘの値に基づいて、切り替え制御の行われた現用増幅器１３−１と予備増幅器１４への信号の入出力状態を監視し、監視結果を制御部１１９に出力する。
増幅器監視制御部１１４は、各増幅器への信号の入出力状態の監視として、具体的には、現用予備切替装置１２を介して、現用増幅器１３−１への入力信号が予備増幅器１４へ切り替えて出力されているか否かを診断し、更に入力信号のレベルを参照する。また、増幅器監視制御部１１４は、現用予備切替装置１５を介して、予備増幅器１４で増幅された信号が現用増幅器１３−１からの出力信号として出力されているか否かを診断し、更に予備増幅器１４での増幅後のレベルを参照する。
増幅器監視制御部１１４は、上記診断結果と、入力信号及び増幅後の信号のレベルを監視結果として、制御部１１９に出力する。
【００５３】
増幅器監視制御部１１４は、現用予備切替装置１２に、現用増幅器１３−１への入力信号が一定時間入力されないと診断すると、無線送信対象の信号が入力されていない、すなわち現用増幅器１３−１と予備増幅器１４が増幅停止中であると判断し、擬似の入力信号を生成して、現用予備切替装置１２を介して現用増幅器１３−１へ入力する。そして増幅器監視制御部１１４は、擬似の入力信号に基づいて上述したような各増幅器への信号の入出力状態の監視を行い、監視結果を制御部１１９に出出力する。
【００５４】
増幅器監視制御部１１４から現用増幅器１３−１と予備増幅器１４への信号の入出力状態の監視結果が入力されると、制御部１１９は、監視結果に基づいて、現用増幅器１３−１と予備増幅器１４の切替制御異常の診断を行う。切替制御異常の診断において、制御部１１９は、記憶部１１８に格納された切替制御異常のレベルの基準値等に基づいて、異常の有無の判断を行う。
【００５５】
診断の結果、切替制御異常があると診断した場合（Ｓ１０５のＹｅｓ）、制御部１１９は、現用増幅器１３−１と予備増幅器１４との切替制御に異常がある旨の表示制御をＬＥＤ制御部１１３に行わせる（Ｓ１０８）。
異常の診断結果の表示にあたり、まず制御部１１９は、現用増幅器１３−１と予備増幅器１４との切替制御異常の診断結果をＬＥＤ制御部１１３に出力する。ＬＥＤ制御部１１３は、入力された診断結果に基づいて、ＬＥＤ１１１、１２１及び１５１におけるランプの表示状態を特定し、特定結果にしたがって各ＬＥＤランプを表示させる表示制御を行う。
現用増幅器１３−１と予備増幅器１４との切替制御に異常がある旨を表すランプの表示状態は、図２の表の二段目に示す通りであり、ＬＥＤ１１１ではＡＬＭ、ＴＥＳＴが点灯、ＡＣＴが消灯し、またＬＥＤ１２１、１５１では、現用増幅器１３−１及び予備増幅器１４に対応するランプが点滅し、他の増幅器１３−１〜１３−ｎに対応するランプが消灯する。
【００５６】
さらに制御部１１９は、切替制御異常の診断結果を、上位監視装置通信制御部１１２に出力し、上位監視装置通信制御部１１２は当該診断結果を通信回線を介して上位監視装置２に送信することで、上位監視装置２に切替制御異常の診断結果を報告する（Ｓ１０９）。診断結果の出力後、制御部１１９は、自己診断モードを終了する。
【００５７】
現用増幅器１３−１と予備増幅器１４の切替制御異常の診断の結果、切替制御に異常がないと診断すると（Ｓ１０５のＮｏ）、制御部１１９は次に、予備増幅器１４から現用増幅器１３−１への切替戻しの制御を行う。
上記切替戻しの制御にあたり、制御部１１９は、切替戻しを行わせる旨の制御命令を現用予備切替制御部１１６に出力する。現用予備切替制御部１１６は、現用予備切替装置１２及び１５に対して、予備増幅器１４から現用増幅器１３−１とへ切替戻しを行う旨の切替戻し制御命令を出力して、切替戻しの制御を行う（Ｓ１０６）。
【００５８】
切替戻し制御命令として、現用予備切替制御部１１６は、現用予備切替装置１２に対しては、現用増幅器１３−１への入力信号を予備増幅器１４から現用増幅器１３−１へ切り替えさせる切替制御命令を出力し、現用予備切替装置１５に対しては、現用増幅器１３−１で増幅された信号を現用増幅器１３−１からの出力信号として切り替えさせる切替制御命令を出力する。切替制御命令が入力された現用予備切替装置１２及び１５は、切替制御命令にしたがって入力信号又は出力信号の切り替えを行う。
【００５９】
監視制御装置１１において、制御部１１９は、切替戻しを行わせる旨の制御命令を増幅器監視制御部１１４にも出力する。増幅器監視制御部１１４は、制御命令に基づいて、切替戻しの制御の行われた現用増幅器１３−１と予備増幅器１４への信号の入出力状態を監視し、監視結果を制御部１１９に出力する。各増幅器への信号の入出力状態の監視方法については、上述した切替制御の行われた現用増幅器１３−１と予備増幅器１４への信号の入出力状態の監視方法と同様であるので、説明は省略する。
【００６０】
増幅器監視制御部１１４から現用増幅器１３−１と予備増幅器１４への信号の入出力状態の監視結果が入力されると、制御部１１９は、監視結果に基づいて、現用増幅器１３−１と予備増幅器１４の切替戻し制御異常の診断を行う。切替戻し制御異常の診断において、制御部１１９は、記憶部１１８に格納された切替戻し制御異常のレベルの基準値等に基づいて、異常の有無の判断を行う。
【００６１】
診断の結果、切替戻し制御異常があると診断した場合（Ｓ１０７のＹｅｓ）、制御部１１９は、現用増幅器１３−１と予備増幅器１４との切替戻し制御に異常がある旨の表示制御をＬＥＤ制御部１１３に行わせ（Ｓ１０８）、更に切替戻し制御異常の診断結果を、上位監視装置通信制御部１１２に出力し、上位監視装置通信制御部１１２は当該診断結果を通信回線を介して上位監視装置２に送信することで、上位監視装置２に切替戻し制御異常の診断結果を報告する（Ｓ１０９）。診断結果の出力後、制御部１１９は、自己診断モードを終了する。
処理Ｓ１０８における切替戻し制御異常のＬＥＤの表示状態は、切替制御異常の場合と同一である。
【００６２】
現用増幅器１３−１と予備増幅器１４の切替戻し制御異常の診断の結果、切替戻し制御に異常がないと診断すると（Ｓ１０７のＮｏ）、制御部１１９は、変数Ｘに１を加算し（Ｓ１１０）、加算の結果、ＸがＮより大になったか否か、つまり最後の現用増幅器１３−ｎの切替制御異常及び切替戻し制御異常の診断を終了したか否かを判断する（Ｓ１１１）。
【００６３】
本増幅装置において、ｎ＞２であり、またこの時点ではＸ＝２であるから、Ｘ＜ｎである。したがって制御部１１９は、Ｘがｎ以下であると判断し（Ｓ１１１のＮｏ）、処理Ｓ１０４に戻り、現用増幅器１３−２と予備増幅器１４の切替制御及び切替戻し制御と、これらの制御異常の診断を、上述した現用増幅器１３−２と予備増幅器１４の場合と同様に行う。
【００６４】
現用増幅器１３−２〜１３−ｎに対する制御異常の診断結果のＬＥＤの表示状態は、図２の表に示す通りであるが、ＬＥＤ１１１は共通してＡＬＭ及びＴＥＳＴを点灯、ＡＣＴを消灯する表示状態となり、ＬＥＤ１２１及び１５１は、切り替え元の現用増幅器及び予備増幅器にそれぞれ対応するランプを点滅し、他の現用増幅器に対応するランプを消灯する表示状態となる。
【００６５】
各現用増幅器１３と予備増幅器１４との切替戻し制御に異常がないと診断された場合には、制御部１１９は処理Ｓ１１０において変数Ｘに１を加算し、さらに処理Ｓ１１１においてＸ＞ｎか否かを判定する処理を繰り返す。
現用増幅器１３−ｎと予備増幅器１４との切替戻し制御に異常がないと診断されると、制御部１１９は全ての現用増幅器１３に対する切替制御異常及び切替戻し制御異常の診断をすべて正常に終えたことになる。このときＸ＝ｎであるから、処理Ｓ１１０によってＸ＝ｎ＋１となり、処理Ｓ１１１においてＸ＞ｎと判断される。制御部１１９は、Ｘ＞ｎと判断、すなわち最後の現用増幅器１３−ｎの切替制御異常及び切替戻し制御異常の診断を終了したと判断すると（処理Ｓ１１１のＹｅｓ）、全ての現用増幅器１３について、切替制御異常及び切替戻し制御異常の診断が正常終了した旨の表示制御をＬＥＤ制御部１１３に行わせる（Ｓ１１２）処理Ｓ１１２において、制御部１１９は、ＬＥＤ制御部１１３に対し、ＬＥＤ１１１、１２１及び１５１を、切替制御異常及び切替戻し制御異常の診断が正常終了したことを示すよう表示させる表示命令を出力する。ＬＥＤ制御部１１３は、ＬＥＤ１１１、１２１及び１５１の正常終了状態を表すランプの表示状態を特定し、特定結果にしたがって各ＬＥＤのランプを表示させる表示制御を行う。
正常終了状態を表すランプの表示状態は、図２の表の最下段に示す通りであり、ＬＥＤ１１１ではＡＣＴが点灯、ＡＬＭ、ＴＥＳＴが消灯し、またＬＥＤ１２１、１５１では、各現用増幅器１３に対応するランプが点灯し、予備増幅器１４に対応するランプが消灯する。
【００６６】
さらに制御部１１９は、正常終了した旨を正常終了通知として、上位監視装置通信制御部１１２に出力し、上位監視装置通信制御部１１２は当該正常終了通知を通信回線を介して上位監視装置２に送信することで、上位監視装置２に正常終了した旨を報告する（Ｓ１１３）。正常終了通知の出力後、制御部１１９は、自己診断モードを終了する。
【００６７】
本増幅装置において、自己診断モードの選択方法として、制御部１１９が読み込むプログラムに、本増幅装置の起動後に自己診断モードを選択すべき命令や、定期的に自己診断モードを実行すべき命令を設定するようにしてもよい。このような設定とすることで、上位監視装置２は遠隔操作命令を送信することなく、現用増幅器１３と予備増幅器１４の切替制御異常の診断結果を、本増幅装置の起動時又は起動後に定期的に得ることができるため、保守員は一層容易に現用増幅器１３と予備増幅器１４の切替制御異常の診断結果を確認することができる。
【００６８】
また、本増幅装置において、監視制御装置１１は、自己診断モードの他に従来と同様、現用増幅器１３−１〜１３−ｎの増幅動作中における信号の入出力状態を監視し、障害の発生した現用増幅器１３と予備増幅器１４との切替制御を行うようにしてもよい。
上記切替制御を行うにあたり、監視制御装置１１において、増幅器監視制御部１１４は、現用増幅器１３−１〜１３−ｎに入力される入力信号のレベル及び増幅後の信号のレベルを参照することで、現用増幅器１３−１〜１３−ｎへの信号の入出力状態を監視し、監視結果を制御部１１９に出力する。制御部１１９は、監視結果に基づいて、故障の発生した現用増幅器がどれかを特定し、予備増幅器１４との切替制御を行う。例えば制御部１１９は、監視結果に基づいて、ある現用増幅器が増幅動作状態から増幅停止状態に変化したと判断すると、当該現用増幅器に故障が発生したと認識して、当該現用増幅器と予備増幅器１４の切替制御を行う。制御部１１９は、上述した自己診断モードにおける切替制御と同一の動作で予備増幅器１４への切替制御を行う。
本増幅装置において、上記切替制御を監視制御装置１１に行わせることにより、現用増幅器１３の動作中において故障が発生した場合にも、予備増幅器１４への切替が迅速に行われるため、無線基地局の通信障害を早急に復旧することができ、無線基地局の信頼性が向上する。
【００６９】
上述したように、本増幅装置は、自己診断モードにおいて、全ての現用増幅器１３−１〜１３−ｎと予備増幅器１４との間で、切替制御と当該切替制御異常の診断を行い、さらに切替戻し制御及び当該切替戻し制御異常の診断を行い、異常と診断された時点で、異常のあった現用増幅器の情報と共に制御異常の診断結果をＬＥＤに表示すると共に、上位監視装置２に送信するものである。また現用増幅器１３及び予備増幅器１４が増幅動作停止中でも、擬似の入力信号を用いて各増幅器への信号の入出力状態を監視することで、制御異常の診断を行うことができるものである。
【００７０】
よって本増幅装置は、増幅装置の起動時等、現用増幅器１３及び予備増幅器１４が増幅動作停止中であっても切替制御の異常の有無及び異常の発生した箇所を迅速に且つ確実に特定することができるため、現用増幅器と予備増幅器の切替制御の異常による無線基地局の障害を未然に防止することができる効果がある。
【００７１】
また、本増幅装置は、通信回線で接続された上位監視装置２からの遠隔操作命令により自己診断モードを開始して現用増幅器１３と予備増幅器１４との切替制御異常及び切替戻し制御異常の診断を行い、診断結果を通信回線を介して上位監視装置２に送信するものであるため、従来のように保守員が装置まで出向いて切替制御の動作確認をすることなく、遠隔地にいながら現用増幅器１３と予備増幅器１４の切替制御の異常の有無を確認することができるため、現用増幅器と予備増幅器の切替制御の異常の有無の診断に要する労力を軽減できる効果がある。
【００７２】
【発明の効果】
本発明によれば、無線通信対象の信号を増幅する現用及び予備の増幅器を備え、現用の増幅器を予備の増幅器に切り替える無線基地局増幅装置であって、現用及び予備の増幅器への入力を切り替える入力側切替部と、現用及び予備の増幅器からの出力を切り替える出力側切替部を備え、現用の増幅器と予備の増幅器の切替制御及び切替戻し制御に対して、入力側切替部及び出力側切替部に対する信号の入出力状態を監視することで切替制御及び切替戻し制御の異常の有無を診断し、診断結果を報知する自己診断処理を行う無線基地局増幅装置としているので、増幅器の切替制御の異常による無線基地局の障害を防止できる効果がある。
【００７３】
また、本発明によれば、上記無線基地局増幅装置において、入力側切替部及び出力側切替部に対する信号の入出力状態の監視において、無線通信対象の信号が一定時間前記入力側切替部に入力されない場合、増幅器が増幅停止状態であると判断し、擬似の信号を生成して入力側切替部を介して増幅器に入力し、入力側切替部における擬似の信号の入力状態及び出力側切替部における増幅後の出力状態を監視する無線基地局増幅装置としているので、増幅器の切替制御の異常による無線基地局の障害を防止できる効果がある。
【００７４】
また、本発明によれば、上記無線基地局増幅装置において、現用及び予備の増幅器の切替制御を監視する監視装置との双方向通信が可能であり、監視装置からの命令にしたがって自己診断処理を行い、切替制御及び切替戻し制御の異常の有無の診断結果を監視装置へ送信する無線基地局増幅装置としているので、現用増幅器と予備増幅器の切替制御の異常の有無の診断に要する労力を軽減できる効果がある。
【図面の簡単な説明】
【図１】本発明の実施の形態に係る無線基地局増幅装置の構成ブロック図である。
【図２】本発明の実施の形態に係る無線基地局増幅装置におけるＬＥＤランプの表示状態と診断結果の関係を示した表である。
【図３】本発明の実施の形態に係る無線基地局増幅装置における監視制御装置の構成ブロック図である。
【図４】本発明の実施の形態に係る無線基地局増幅装置の自己診断モード時における切替制御及び切替制御異常の診断のフローチャートである。
【符号の説明】
１…無線基地局増幅装置、　２…上位監視装置、　１１…監視制御装置、　１２…現用予備切替装置（入力側）、　１３…現用増幅器、　１４…予備増幅器、１５…現用予備切替装置（出力側）、　１６…ファンユニット、　１１１，１２１，１５１…ＬＥＤ、　１１２…上位監視装置通信制御部、　１１３…ＬＥＤ制御部、　１１４…増幅器監視制御部、　１１５…電源監視部、　１１６…現用予備切替制御部、　１１７…ファン監視部、　１１８…記憶部、　１１９…制御部
【図１】
2004129109.tif 000003
【図２】
2004129109.tif 000004
【図３】
2004129109.tif 000005
【図４】
2004129109.tif 000006